(57)【要約】      （修正有）【課題】プリント基板に突出して設けられるコネクタの破損を防止する電子機器を提供する。【解決手段】後方ケースと、この後方ケースに後方が取り付けられ、略長方形状に形成されるプリント基板と、このプリント基板の前方下側または上側に、プリント基板を突出して取り付けられるコネクタと、このコネクタが露出される開口部が下部または上部に設けられ、プリント基板の前方が挿入され、後方ケースと連結する前方ケースと、この前方ケースの下側または上側に設けられ、プリント基板の下側側面または上側側面が走行されるレールとを備えた。【選択図】図１
2011023573.tif 000002
【特許請求の範囲】
【請求項１】
後方ケースと、
この後方ケースに後方が取り付けられ、略長方形状に形成されるプリント基板と、
このプリント基板の前方下側または上側に、プリント基板を突出して取り付けられるコネクタと、
このコネクタが露出される開口部が下部または上部に設けられ、前記プリント基板の前方が挿入され、前記後方ケースと連結する前方ケースと、
この前方ケースの下側または上側に設けられ、前記プリント基板の下側側面または上側側面が走行されるレールと
を備えたことを特徴とする電子機器。
【請求項２】
後方ケースと、
この後方ケースに後方が取り付けられ、略長方形状に形成され、前方下側の角が略長方形状に切り欠けられる切欠き部が形成されるプリント基板と、
このプリント基板の切欠き部の上側に、プリント基板を突出して取り付けられるコネクタと、
前方下側の角が略長方形状に切りかけられる切欠き部が形成され、この切欠き部の上側に前記コネクタが露出される開口部が設けられ、前記プリント基板の前方が挿入され、前記後方ケースと連結する前方ケースと、
この前方ケースの切欠き部の上側に設けられ、前記プリント基板の下側側面が走行するレールと
を備えたことを特徴とする電子機器。
【請求項３】
前記レールの一方の側面に前記プリント基板を規制する壁部を設けたことを特徴とする請求項１または２記載の電子機器。
【請求項４】
前記コネクタを覆い、前記前方ケースに取り付けられるカバーを設けたことを特徴とする請求項２または３記載の電子機器。
【発明の詳細な説明】
【技術分野】
【０００１】
本発明は、プリント基板に突出して設けられるコネクタの破損を防止する電子機器に関するものである。
【背景技術】
【０００２】
電子機器は、下記特許文献１等に示すように、コネクタが前側や後側に設けられるプリント基板がガイド溝に沿って挿入されている。
【先行技術文献】
【特許文献】
【０００３】
【特許文献１】特開２００１−１１１２６４号公報
【発明の概要】
【発明が解決しようとする課題】
【０００４】
ユーザが操作しないように、メンテナンスなどのコネクタを電子機器の前方下側に設けると、このコネクタの取付位置が規格により定まっているため、プリント基板の端より突出して、コネクタを取り付けなければならなかった。この結果、電子機器にプリント基板をガイドするガイド溝を設けることができなくなってしまった。
【０００５】
そこで、本発明の目的は、プリント基板に突出して設けられるコネクタの破損を防止する電子機器を実現することにある。
【課題を解決するための手段】
【０００６】
このような課題を達成するために、本発明のうち請求項１記載の発明は、
後方ケースと、
この後方ケースに後方が取り付けられ、略長方形状に形成されるプリント基板と、
このプリント基板の前方下側または上側に、プリント基板を突出して取り付けられるコネクタと、
このコネクタが露出される開口部が下部または上部に設けられ、前記プリント基板の前方が挿入され、前記後方ケースと連結する前方ケースと、
この前方ケースの下側または上側に設けられ、前記プリント基板の下側側面または上側側面が走行されるレールと
を備えたことを特徴とするものである。
請求項２記載の発明は、
後方ケースと、
この後方ケースに後方が取り付けられ、略長方形状に形成され、前方下側の角が略長方形状に切り欠けられる切欠き部が形成されるプリント基板と、
このプリント基板の切欠き部の上側に、プリント基板を突出して取り付けられるコネクタと、
前方下側の角が略長方形状に切りかけられる切欠き部が形成され、この切欠き部の上側に前記コネクタが露出される開口部が設けられ、前記プリント基板の前方が挿入され、前記後方ケースと連結する前方ケースと、
この前方ケースの切欠き部の上側に設けられ、前記プリント基板の下側側面が走行するレールと
を備えたことを特徴とするものである。
請求項３記載の発明は、請求項１または２記載の発明であって、
前記レールの一方の側面に前記プリント基板を規制する壁部を設けたことを特徴とするものである。
請求項４記載の発明は、請求項２または３記載の発明であって、
前記コネクタを覆い、前記前方ケースに取り付けられるカバーを設けたことを特徴とするものである。
【発明の効果】
【０００７】
本発明によれば、プリント基板の側面が、レールを走行するので、プリント基板に突出して取り付けられるコネクタの破損を防止できる。
【図面の簡単な説明】
【０００８】
【図１】本発明の一実施例の構成を示した側面断面図である。
【図２】図１に示す装置の側面図である。
【図３】図１に示す装置の要部を拡大した正面断面図である。
【図４】図１に示す装置の組立完成を示した側面断面図である。
【図５】図１に示す装置にカバーを取り付ける場合の側面図である。
【図６】図５に示す装置の組立完成図である。
【発明を実施するための形態】
【０００９】
以下本発明を、図面を用いて詳細に説明する。図１は本発明の一実施例の構成を示した側面断面図で、図２は図１に示す装置の側面図、図３は図１に示す装置の要部を拡大した正面断面図である。
【００１０】
図において、後方ケース１は、前方が開口される箱状に形成され、内側の上下にガイド溝１１，１２が形成され、開口の周囲に複数の穴１３が形成される。プリント基板２は、後方ケース１のガイド溝１１，１２に後方が挿入されて、取り付けられ、略長方形状に形成され、前方下側の角が略長方形状に切り欠けられる切欠き部２１が形成される。コネクタ３は、プリント基板２の切欠き部２１の上側の前方に、前側は隙間を設け、プリント基板２の下側に突出して取り付けられる。前方ケース４は、後方が開口される箱状に形成され、前方下側の角が略長方形状に切りかけられる切欠き部４１が形成され、プリント基板２の前方が挿入され、開口部４２、複数の固定ツメ４３が設けられる。開口部４２は、切欠き部４１の上側に設けられ、コネクタ３が露出される。固定ツメ４３は、後方ケース１の穴１３に挿入される。レール５は、前方ケース４の切欠き部４１の上側に設けられ、プリント基板２の下側側面が走行される。壁部６は、レール５の一方の側面、つまり、コネクタ３が取り付けられるプリント基板２の逆側に設けられ、プリント基板２を規制する。
【００１１】
このような装置の組立動作を説明する。後方ケース１にプリント基板２をガイド溝１１，１２に挿入し、プリント基板２の後方を後方ケース１に取り付ける。次に、前方ケース４をプリント基板２の前方に被せる。このとき、プリント基板２の下側側面がレール５に載り、レール５上をプリント基板２がスライドする。そして、前方ケース４の固定ツメ４３を後方ケース１の穴１３に嵌めて、前方ケース４を後方ケース１に固定し、図４の状態になる。
【００１２】
このように、プリント基板２の下側側面が、レール５を走行するので、プリント基板２の下側に突出して設けられるコネクタ３の破損を防止できる。
【００１３】
次に、図１に示す装置に、カバーを取り付ける構成を、図５，６を用いて説明する。図５に示される状態から、カバー７は、略Ｌ字形に形成され、図１に示されるコネクタ３を覆い、前方ケース４に取り付けられ、図６に示される状態になる。そして、コネクタ３をカバー７により、覆うことにより、機能安全規格に合致する。
【００１４】
なお、本発明はこれに限定されるものではなく、後方ケース１のガイド溝１１，１２にプリント基板２を挿入し、取り付ける構成を示したが、後方ケース１にプリント基板２が取り付けられる構成であればどのような構成でもよい。
【００１５】
また、連続的なレール５を示したが、断続的に形成されるレールや短いレールでもよい。短い場合は、切欠き部４１の後側に設ける。また、レール５の側面に壁部６を設けた構成を示したが、壁部６を設けなくともよい。
【００１６】
そして、コネクタ３をプリント基板２の下側に設けた構成を示したが、上側に設けてもよい。この場合、レール５、開口部４２等が上側に設けられる。
【符号の説明】
【００１７】
１  後方ケース
２  プリント基板
２１  切欠き部
３  コネクタ
４  前方ケース
４１  切欠き部
４２  開口部
５  レール
６  壁部
７  カバー
【図１】
2011023573.tif 000003
【図２】
2011023573.tif 000004
【図３】
2011023573.tif 000005
【図４】
2011023573.tif 000006
【図５】
2011023573.tif 000007
【図６】
2011023573.tif 000008